(57)【特許請求の範囲】
【請求項１】
フレーム；
前記フレームに軸設されたスプール；及び
前記スプールの回転のためにフレームの一側に軸設されたハンドル；
を含んでなる釣り用リールであって、
前記フレーム、スプール及びハンドルの中の一部または全部に装着部が設けられ、
前記装着部に結合される回転体と、前記回転体に設けられた目盛り表示部と、回転体の周辺に設けられた対応目盛り表示部とを有するラインタイプマーカーをさらに含み、
前記目盛り表示部及び前記対応目盛り表示部のうち、いずれか一方は目盛り指示部であり、他方は目盛り部（ｓｃａｌｅ）であり、
前記目盛り指示部は、異種ラインを表示する離隔して配列された複数の標識であり、
前記目盛り部は離隔して配列された複数の数字であり、
前記目盛り指示部の標識は、ラインタイプマーキング時にいずれか一標識だけが一目盛り部の数字を指示し、他の標識は目盛り部の数字からずれており、
前記ラインタイプマーカーは、回転体を装着部に固定するストッパーをさらに含み、
前記装着部は外周部の内周面に係止段を有し、
該係止段部位の内径は回転体の外径より大きくて隙間が形成され、
前記装着部の係止段の下側と回転体の外周面の環状溝との間には、ストッパーの役目をする弾性リングが隙間を満たしてきちんと合う形態に結合される
ことを特徴とする、釣り用リール。
【請求項２】
前記装着部は、ハンドルノブ、ハンドルナットキャップ、スタードラッグナット、フレームのパームサイドカバー、スプールまたはテンションナットに設けられていることを特徴とする、請求項１に記載の釣り用リール。
【請求項３】
前記係止段の一部は除去されて分離溝が形成されており、
軸孔が回転体に形成されており、前記装着部には前記軸孔に結合される軸突起が形成されていることを特徴とする、請求項１に記載の釣り用リール。
【請求項４】
前記回転体にはクリック音発生部材がさらに備えられていることを特徴とする、請求項３に記載の釣り用リール。
【発明の詳細な説明】
【技術分野】
【０００１】
本発明はラインタイプマーカーを備えた釣り用リールに係る。より詳しくは、ライン（ｌｉｎｅ）つまり釣り糸の種類（ナイロンなどのモノフィラメント、合糸、ポリエチレン合糸（Ｐｏｌｙｅｔｈｙｌｅｎｅ Ｂｒａｉｄ）など）や太さのようなラインタイプを表示するマーカー（ｍａｒｋｅｒ）を、フレームのパームサイドなどのように接触可能であってマーキング後に表示状態が消されるなどの毀損可能な部位ではなく、ハンドルによって遮られて使用者や他の品物による接触が根本的に遮断されてマーカーセット状態が保護維持できるような、ハンドルノブ（ｈａｎｄｌｅ ｋｎｏｂ）などの多様なフレーム、スプールまたはハンドルの一部または全部に組み込んだ釣り用リールに関する。
【背景技術】
【０００２】
通常、釣り糸つまりライン（ｌｉｎｅ）は、ナイロンなどのモノフィラメント（ｍｏｎｏ ｆｉｌａｍｅｎｔ）またはよじって作った合糸、そして強度がモノフィラメントの３倍くらいのポリエチレン（ＰＥ）合糸（Ｐｏｌｙｅｔｈｙｌｅｎｅ Ｂｒａｉｄ）などの種々のものが使われており、その太さは号数（大韓民国）または「ＬＢ」（パウンド、米国）で表示して使われている。
【０００３】
通常、釣りの後には洗浄または保管のために釣り竿からリールを分離し、その後つぎの釣りを行うときに、リールと釣り竿をまた組み立てる。しかし、太さや素材に係わるラインタイプ（ｌｉｎｅ ｔｙｐｅ）は種々あり、組み立てる場合には、リールに巻き取られたラインタイプを区分することが容易でなく、その確認のための測定器の使用は煩わしく、測定器そのものを保有していない場合も多い。この問題を解決するために、ラインタイプをペンでリールに書くとかステッカーを付けるなど、メモ方式で区分したりするが、多様な原因でメモが消されるとか毀損されることができるため、不便である。
【０００４】
この問題を解決するための方案として、大韓民国実用新案登録第２０−０１３３４３４号（登録日：１９９８年１０月１２日）に開示の「スピニングリールの釣り糸号数表示装置」がある。この登録考案は、釣り糸が巻き取られる巻取部が形成されたスプールと、このスプールの一側に結合されて回転するプレートと、このプレートの前面に釣り糸の号数を表示する数字が索引されたスプールカバーとが結合され、前述したプレートを一側または他側に回動することによって前記スプールに巻き取られるスピニングリールの釣り糸号数表示装置において、前記スプールに形成された溝の内部に装着される前記プレートの貫通孔の外周に前記スプールに対して軸方向に形成されたストッパー；前記スプールの先端に形成された結合部に結合される前記スプールカバーの内周に、前記プレートに形成された前記ストッパーと同一方向に形成された複数の溝；及び前記プレートの前記溝の所定部位に形成された長孔を含むことを特徴とする、スピニングリールの釣り糸号数表示装置を開示している。  しかし、この登録考案は、使用者が釣りなどの使用過程で容易に接触可能な部位であるスプールカバーに号数を表示するものなので、多様な原因で表示セット状態が変更し得るという問題点を持つ。
【０００５】
また、米国特許第５，５６８，７８７号（登録日：１９９６．１０．２９）に開示の「釣り用リールのラインタイプ表示装置（Ｌｉｎｅ Ｔｙｐｅ Ｉｎｄｉｃａｔｏｒ ｆｏｒ Ｆｉｓｈｉｎｇ Ｒｅｅｌ）」がある。この特許は、ハンドルのナットキャップ（ｈａｎｄｌｅ ｎｕｔ ｃａｐ）にダイヤル（ｄｉａｌ）型のものでラインタイプをセットすることができる技術を開示している。
【０００６】
しかし、この特許の技術は、ハンドアーム上に突出した形態なので、釣りの際に邪魔し、ラインタイプのメモリのためのセット時にダイヤルを回せばハンドルも一緒に回転するため、セット過程が不便であり、さらにハンドルナットキャップがスクリューで固定されているため、ラインタイプ表示の基準（例えば、号数とパウンド（ＬＢ）、モノフィラメントと合糸）が変わる場合に使用ができなくなる問題点があり、ダイヤルをラインタイプ表示基準の変更に応じて一つ一つ入れ替えなければならないという不便さをある。
【０００７】
また、米国特許第５，９２４，６３９号（登録日：１９９９．０７．２０）に開示の「釣り用リールのスプールに設けられたラインタイプ表示装置（Ｌｉｎｅ−Ｔｙｐｅ Ｉｎｄｉｃａｔｏｒ ｆｏｒ Ｓｐｏｏｌ ｏｎ ａ Ｆｉｓｈｉｎｇ Ｒｅｅｌ）」があるが、これも大韓民国実用新案登録第２０−０１３３４３４号の場合と類似した問題点を持つもので、釣り過程で手に触れてセット状態が変更されるため、手違いを引き起こすことがあり、またラインタイプ表示基準の変更に対する対応方案を開示していない。
【先行技術文献】
【特許文献】
【０００８】
【特許文献１】大韓民国実用新案登録第２０−０１３３４３４号公報
【特許文献２】米国特許第５，５６８，７８７号公報
【特許文献３】米国特許第５，９２４，６３９号公報
【発明の概要】
【発明が解決しようとする課題】
【０００９】
本発明は、フレームのパームサイドなどのように身体または周辺の事物と接触してマーキング後に表示状態が変更または毀損可能な部位ではなく、使用者または他の品物による接触が根本的に遮断されてマーカーセット状態が保護維持されるように、ハンドルノブ、ハンドルナットキャップ、スタードラッグナット、フレームのパームサイドカバー、スプールまたはテンションナットなどの多様なフレーム、スプールまたはハンドルの中の特定部位に装着部を組み込み、これにライン（ｌｉｎｅ）、つまり釣り糸の種類（ナイロンなどのモノフィラメント、合糸など）または太さのようなラインタイプを表示するマーカー（ｍａｒｋｅｒ）を組み込んだ釣り用リールを提供することをその目的とする。
【００１０】
また、本発明は、突出せずに遮られて、釣り中に触れてセット状態変更の間違いが発生するおそれがないとともに、ラインタイプマーカーをなす回転体を回してラインタイプをセットする場合、セット状態が容易に変更される問題がなく、ラインタイプ表示基準（例えば、号数とパウンド（ＬＢ）、モノフィラメントと合糸）の変更が必要な場合、回転体の入れ替えなどの方式で手軽く対処するようにしたラインタイプマーカーを備えた釣り用リールを提供することを他の目的とする。
【００１１】
また、本発明は、マーカーを構成する回転体の意図せぬ回転を防止するとともに、ラインタイプマーキングのための回転体の回転によるセットの際に、回転体の回転によってクリック音が発生するようにして、軽快さとセット注意力を高めることができるようにするために、クリック音発生部材をさらに設けたラインタイプマーカーを備えた釣り用リールを提供することをさらに他の目的とする。
【課題を解決するための手段】
【００１２】
前記のような目的を達成するために、本発明によるラインタイプマーカーを備えた釣り用リールは、フレーム、前記フレームに軸設されたスプール、及び前記スプールの回転のためにフレームの一側に軸設されたハンドルを含んでなる釣り用リールであって、前記フレーム、スプール及びハンドルの中の一部または全部に装着部が設けられ、前記装着部に結合される回転体と、前記回転体に設けられた目盛り表示部と、回転体の周辺に設けられた対応目盛り表示部とを有するラインタイプマーカーをさらに含む。
【００１３】
前記装着部は、ハンドルノブ、ハンドルナットキャップ、スタードラッグナット、フレームのパームサイドカバー、スプールまたはテンションナットに設けることができる。
【００１４】
前記目盛り表示部及び対応目盛り表示部の一方は、目盛り指示部、他方は、目盛り部（ｓｃａｌｅ）であってもよく、前記目盛り指示部は、異種ラインを表示する離隔して配列された複数の指示標識、例えば矢印であってもよい。また、前記目盛り部は、離隔して配列された複数の数字であってもよく、前記目盛り指示部の標識は、ラインタイプマーキング時にいずれか一標識だけが一目盛り部の数字を指示し、他の標識は目盛り部の数字からずれていることができる。
【００１５】
前記ラインタイプマーカーは、回転体を装着部に固定するストッパーをさらに含むことができる。
【発明の効果】
【００１６】
本発明によるラインタイプマーカーを備えた釣り用リールは、フレームのパームサイドなどに接触してマーキング後に表示状態が変更可能な部位ではなく、遮られて使用者や他の品物による接触が根本的に遮断されて、マーカーセット状態が保護維持できるように、ハンドルノブ、ハンドルナットキャップ、スタードラッグナット、フレームのパームサイドカバー、スプールまたはテンションナットなどの多様なフレーム、スプールまたはハンドルの中の特定部位に装着部を組み込み、これにライン（ｌｉｎｅ）、つまり釣り糸の種類（ナイロンなどのモノフィラメント、合糸など）や太さのようなラインタイプを表示するマーカー（ｍａｒｋｅｒ）を組み込むことにより、
マーカーが保護されて、使用者や他の品物による接触が根本的に遮断されてマーカーセット状態が保護維持されるようにし、
またハンドルによって遮られ、釣り中に触れてセット状態変更の間違いが発生するおそれがないとともに、
ラインタイプマーカーをなす回転体を回してラインタイプをセットする場合、セット状態が容易に変更される問題がなく、
ラインタイプ表示基準（例えば、号数とパウンド（ＬＢ）、モノフィラメントと合糸）の変更が必要な場合、回転体の入れ替えなどの方式で手軽く取り替えることができる。
【００１７】
さらにクリック音発生部材を組み込むことにより、マーカーを構成する回転体の勝手の回転を防止するとともに、ラインタイプマーキングのための回転体の回転によるセットの際、回転体の回転によってクリック音を発生させて軽快さと一緒にセット注意力を高めることができる。
【図面の簡単な説明】
【００１８】
【図１】釣り用リールの一例を表す図である。
【図２】本発明の釣り用リールの一例の部分（ハンドル、ハンドルノブなど）を表す図である。
【図３】本発明の釣り用リールの一例の部分（スタードラッグナットなど）を表す図である。
【図４】本発明の釣り用リールの一例の部分（パームサイドカバーなど）を表す図である。
【図５】本発明の釣り用リールの一例の部分（スペアスプールなど）を表す図である。
【図６】本発明の釣り用リールの一例の部分（テンションナットなど）を表す図である。
【図７】本発明の釣り用リールの他の一例の部分（ハンドルナットキャップなど）を表す図である。
【図８】本発明の釣り用リールの他の一例の部分（ハンドルナットキャップ、ハンドルノブなど）を表す図である。
【図９】本発明の釣り用リールの他の一例の部分（ハンドルアーム装飾カバー、ハンドルアーム固定ボルトカバーなど）を表す図である。
【図１０】本発明の釣り用リールの他の一例の部分（スプール、ベイルワイヤ（ｂａｉｌ ｗｉｒｅ）固定ボルトなど）を表す図である。
【図１１】ラインタイプマーカーの一例の要部を示す図である。
【図１２】ラインタイプマーカーの他の一例の要部を示す図である。
【図１３】ラインタイプマーカーの他の一例の要部を示す図である。
【図１４】ラインタイプマーカーの他の一例の要部を示す図である。
【図１５】ラインタイプマーカーの他の一例の要部を示す図である。
【図１６】ラインタイプマーカーの他の一例の要部を示す図である。
【発明を実施するための形態】
【００１９】
以下、添付図面に基づいて本発明を詳細に説明する。本発明は多様な変更を加えることができ、いろいろの形態を持つことができる。以下の本文に詳細に説明する具現例（態様、ａｓｐｅｃｔ）または実施例は、本発明を特定の開示形態に限定しようとするものではなく、本発明の思想及び技術範囲に含まれるすべての変更、均等物ないし代替物を含むものに理解しなければならない。
【００２０】
各図において同一の参照符号、特に十の桁及び一の桁、または十の桁、一の桁及びアルファベットが同じ参照符号は同一または類似の機能を持つ部材を示し、特に言及がない場合、図面の各参照符号が指称する部材はこのような基準に準ずる部材に把握すれば良い。また、各図において、構成要素は理解の便宜上大きさや厚さを誇張して大きく（または厚く）あるいは小さく（または薄く）表現するとか単純化して表現しているが、これによって本発明の保護範囲が制限されて解釈されてはいけない。
【００２１】
本明細書で使用した用語は、ただ特定の具現例（態様、ａｓｐｅｃｔ）または実施例を説明するために使用されたもので、本発明を限定しようとする意図ではない。単数の表現は文脈上特に明記しない限り、複数の表現を含む。本出願において、「含む」または「なる」などの用語は明細書上に記載された特徴、数字、段階、動作、構成要素、部品またはこれらの組合せが存在することを示すものであり、一つまたはそれ以上の他の特徴、数字、段階、動作、構成要素、部品またはこれらの組合せの存在または付加の可能性を予め排除しないものに理解されなければならない。
【００２２】
特に定義がない限り、技術的ないし科学的な用語を含み、ここで使われるすべての用語は本発明が属する技術分野で通常の知識を持つ者によって一般的に理解されるものと同一の意味を持っている。一般的に使われる辞書に定義されているもののような用語は関連技術が文脈上持つ意味と一致する意味を持つものに解釈されなければならず、本出願において明らかに定義しない限り、理想的なあるいは過度に形式的な意味に解釈されない。本明細書において、公知の機能及び構成についての具体的な説明が本発明の要旨を不必要にあいまいにする可能性があると判断される場合、それについての説明は省略することができる。
【００２３】
本発明によるラインタイプマーカーを備えた釣り用リールＲの説明において、便宜上、厳密ではない大略の方向基準を図２〜図１６に基づいて特定すれば、図面に示された状態で、上下左右に分け、他の図面に基づいた発明の詳細な説明及び請求範囲においても、特に言及がない限り、この基準に従って方向を特定して説明する。
【００２４】
まず、本発明の出願人の量産品であるベイトリールを示す図である図１（［Ａ］は斜視図、［Ｂ］は正面図）に示したように、釣り用リールＲは、フレームＦ、前記フレームに軸設されたスプールＳ、及び前記スプールの回転のためにフレームの一側に軸設されたハンドルＨを含み、本発明のラインタイプマーカーＭは、これらのフレーム、スプールまたはハンドルの中の一部または全部に設けられた装着部に組み込まれる。
【００２５】
具体的に、ベイトリール（ベイトキャスティングリール）の場合、図１〜図６から確認可能なように、装着部は、
ハンドルＨでは、ハンドルノブＨ１（ｈａｎｄｌｅ ｋｎｏｂ）、ハンドルナットキャップＨ２に、
スプールＳでは、魚が釣り針を食って逃げる場合、釣り糸がスプールから解ける速度を制御して釣り糸を保護する「ドラッグパワー」調節用スタードラッグナットＳｓ、スプール、スプールシャフトの回転速度を調節してキャスティング距離を調節するようにフレームの一側に配列されたテンションナットＳｔに、
そしてフレームＦでは、パームサイドカバーＦ１に組み込まれることができる（装着部は、ハンドル（特に、ハンドルノブ）（図２）、スプール（特に、スタードラッグナット）（図３）、フレーム（特に、パームサイドカバー）（図４）、スプール（特に、スペア（ｓｐａｒｅ、予備）スプール）（図５）、スプール（特に、テンションナット）（図６）に組み込まれている）。
【００２６】
一方、図７〜図１０に示したように、ベイトリールより強度は低いがルアーを遠く投げるのに適し、軽量のルアーを所望のポイントに正確に送ることができるという利点を持つスピニングリールの場合、装着部は、ハンドルでは、ハンドル（特に、ハンドルナットキャップ）（図７及び図８［Ａ］）、ハンドル（特に、ハンドルノブ）（図８［Ｂ］）、ハンドル（特に、ハンドルアーム装飾カバー）（図９［Ａ］）、ハンドル（特に、ハンドルアーム固定ボルトカバー（図９［Ｂ］）などに組み込まれ、スプールでは、スプールそのもの（図１０［Ａ］）などに、フレームでは、ベイルワイヤ（ｂａｉｌ ｗｉｒｅ）固定ボルト（図１０［Ｂ］）などに組み込まれることができる。
【００２７】
釣り糸の号数（太さ）及び種類の表示のためのラインタイプマーカーＭの組み込みのための装着部は、特に釣り用リールのフレーム、スプールまたはハンドルにおいて、ラインタイプマーカーを構成する回転体が組み込まれることができる環形装着部の構成に適した部位が好ましい。
【００２８】
ラインタイプマーカーＭは、基本的に装着部に結合された回転体ｒと、回転体の装着部固定のためのストッパーとを含み、さらに前記回転体に設けられた目盛り表示部と、回転体の周辺に設けられた対応目盛り表示部とを含み、両目盛り表示部の一方は目盛り指示部、他方は目盛り部（ｓｃａｌｅ）であることが好ましい。
【００２９】
具体的に、ラインタイプマーカー及び装着部に関連して、代表的に、図６の［Ａ−１］及び［Ａ−２］は、マーカーＭが組み込まれたテンションナットのみを、図１［Ｂ］のように正面から、図示しており、図６［Ｂ−１］、図６［Ｂ−２］、図６［Ｂ−３］、図１１及び図１２では、それぞれラインタイプマーカーＭの回転体、ストッパー、［回転体＋ストッパー＋テンションナット組立体］の断面図を、上中下の位置に配置している。
【００３０】
図６［Ａ−１］、図６［Ａ−２］及び図６［Ｂ−１］から確認できるように、テンションナットＳｔの上部外周にはラインタイプ表示対応目盛り表示部１０Ｂが設けられている。この対応目盛り表示部１０Ｂ、つまり目盛り部（ｓｃａｌｅ）１１Ｂはパウンドを基準に８、１０、１２、１４、１６、１８、２０が表示されており、これは号数で、それぞれ１、２、２．５、３、４、５号にあたる。
【００３１】
必要によって、目盛り部には、パウンド基準での釣り糸の太さの代わりに号数基準の太さをアラビア数字（またはローマ数字）で表示するすることができ、また両基準の太さを一緒に併記することができる。アラビア数字やローマ数字の代わりに、国家別、時代別に使われているまたは使われた他の文字や各種の記号はもちろんのこと、新しく約束されるとか規定されたものなどを包括する任意の表示体系で表示することもできる。
【００３２】
テンションナットＳｔの目盛り部１１Ｂの表示部外周に取り囲まれた装着部、特に環形装着部ｍには目盛り表示部１０Ａが設けられた回転体ｒが結合される。回転体ｒに設けられた「目盛り表示部」は図示のような目盛り指示のための矢印のような「目盛り指示部」１１Ａ（「Ｍ」表示矢印１１ａはモノフィラメント（ｍｏｎｏｆｉｌａｍｅｎｔ）からなったライン太さ表示用、「Ｃ」表示矢印１１ｂは合糸からなったライン太さ表示用のものである）を備えている（その外に、「ＰＥ」表示がポリエチレン（ＰＥ）合糸（Ｐｏｌｙｅｔｈｙｌｅｎｅ Ｂｒａｉｄ）（ナイロンモノフィラメントより３倍以上強い特性を持つ）を示すものとして使うことができる）。
【００３３】
必要によって、この回転体の「目盛り表示部」はテンションナットＳｔの外周上面に設けられた目盛り部の代わりに「スケール」（ｓｃａｌｅ、ライン太さを示す）からなり、テンションナット側には目盛り指示のための矢印のような「目盛り指示部」が設けられた形態に変形できる。いずれの場合にも、目盛り表示部（例えば、矢印）及び対応目盛り表示部（例えば、目盛り部）は印刷、転写、鍍金、彫りこみ、彫り上げ、ステッカー付着などの方式で具現できる。
【００３４】
このように、本発明による釣り用リールＲに組み込まれたラインタイプマーカーＭは、ラインタイプ表示基準（例えば、号数とパウンド（ＬＢ）、モノフィラメントと合糸、及びポリエチレン（ＰＥ）合糸）の変更が必要な場合、例えば単一回転体にモノフィラメント（ｍｏｎｏｆｉｌａｍｅｎｔ）のライン太さを表示するための「Ｍ」表示矢印１１ａと合糸からなったライン太さの表示のための「Ｃ」表示矢印１１ｂとが設けられているので、汎用性のラインタイプ表示が可能であり（「Ｍ」、「Ｃ」、「ＰＥ」のいずれも表示可能）、さらに必要時には回転体を入れ替えなどの方式で手軽く対処することができる。
【００３５】
また、その配列位置及び構造を選択して、ラインタイプマーカーのセット状態が釣り中、運搬中、保管中などに多様な原因で容易に変更されるおそれがないようにし、さらに例えばテンションナットにラインタイプマーカーを組み込む場合、ラインタイプマーカーを構成する回転体を回してラインタイプをセットするとき、テンションナットのトルクが相対的に高いので、テンションナットと回転体が一緒に回転する不便さを引き起こす問題がないようにする。
【００３６】
一方、ラインタイプマーカーＭの回転体ｒの装着及び入れ替えの便利性のために、図６［Ａ−１］、図６［Ａ−２］、図６［Ｂ−１］及び図６［Ｂ−２］に示したように、テンションナットＳｔに形成された環状溝形態の装着部ｍは外周部の内周面に係止段ｍｓ（図６［Ｂ−２］参照）を持つ。この係止段ｍｓ部位の内径は回転体ｒの外径より大きくて隙間が形成され、装着部ｍの係止段ｍｓの下側と回転体ｒの外周面の環状溝１３の間には、ストッパー２０の役目をする弾性リングが隙間を満たしてきちんと合う形態に結合されることで、回転体ｒの意図せぬ分離、及びラインタイプマーキングのためのセット後に多様な衝撃や摩擦による意図せぬ回転を防止する機能をする。
【００３７】
また、図６［Ａ−１］、図６［Ａ−２］及び図６［Ｂ−３］から確認できるように、テンションナットＳｔの対応目盛り表示部１０Ｂの内側一部、つまり係止段ｍｓの一部が除去されて分離溝ｍｄが形成されている。この分離溝ｍｄに工具を挿入し、装着部ｍの係止段ｍｓの下側と回転体ｒの外周部の環状溝１３の間にきちんと詰まった形態に位置する弾性リング型ストッパー２０を変形させながら回転体ｒを手軽く分離することが可能である。
【００３８】
図６［Ｂ−１］、図６［Ｂ−２］及び図６［Ｂ−３］のぞれぞれにおいて、上部には回転体ｒの断面図、中間にはストッパー２０の平面図、下部には［回転体＋ストッパー＋テンションナット組立体］の結合断面図が示されており、このような図の配列は図１１及び図１２においても同様である。図６［Ｂ−１］は単に回転体が装着部ｍに結合された形態、図６［Ｂ−２］は軸孔１０ｓが回転体ｒに形成され、テンションナットの装着部には軸突起が形成されている形態、図６［Ｂ−３］は軸溝１０ｓが回転体に形成され、テンションナットには軸突起が形成されて結合された形態である。
【００３９】
図６［Ｂ−１］、図６［Ｂ−２］及び図６［Ｂ−３］に示したラインタイプマーカーＭは、ラインタイプマーキングのためのセットの際に、いずれも爪や小銭などを回転溝１０ｇに挿入した後、回転体ｒを回転することができるようになっている。
【００４０】
図６［Ａ−２］には、「Ｍ」表示矢印１１ａ（目盛り表示部１０Ａの目盛り指示部１１Ａにあたる標識）と「Ｃ」表示矢印１１ｂ（目盛り指示部の標識）が１８０度を成す形態に配列され、図６［Ａ−１］には、「Ｍ」表示矢印１１ａと「Ｃ」表示矢印１１ｂが２００度程度を成す形態に配列されている。いずれの場合にも「Ｍ」表示矢印または「Ｃ」表示矢印の一つだけがライン太さ表示スケール（数字）（つまり、対応目盛り表示部１０Ｂの目盛り部１１Ｂ）を指示するためのものである。
【００４１】
これを包括的に説明すれば、両目盛り表示部の一方は目盛り指示部、他方は目盛り部（ｓｃａｌｅ）である。目盛り指示部は異種ラインを表示する離隔して配列された矢印のような複数の標識であり、前記目盛り部は離隔して配列された複数の数字である。前記目盛り指示部の標識は、ラインタイプマーキングの際、いずれか一標識のみが一つの目盛り部数字を指示し、他の標識は目盛り部の数字からずれているものである。
【００４２】
これは、図５、図１０及び図１３のように、「Ｍ」、「Ｃ」、「ＰＥ」をみんな表示するための目盛り指示部の標識を組み込む場合にも同様に適用され、目盛り部１１Ｂの数字が離隔して配列された角度と、目盛り指示部標識の矢印が離隔して配列された角度を選択し、いずれの場合にもいずれか一標識だけが一つの目盛り部数字を指示し（ａｉｍｉｎｇ）、他の標識は目盛り部の数字からずれて非指示（ｎｏｎ−ａｉｍｉｎｇ）するように構成されている。
【００４３】
一方、図６［Ｂ−２］及び図６［Ｂ−３］に比べ、図１１の［Ａ−１］及び図１１［Ａ−２］においては、安定的な回転体の回転のための軸構造の組み込みのために回転体自体に軸突起１０Ｓが設けられ、テンションナットＳｔの装着部ｍには軸溝が形成された点が異なる。また、図１１［Ａ−１］とは異なり、図１１［Ａ−２］には印刷または彫りこみなどの矢印のような目盛り表示部、特に目盛り指示部が回転体の結合孔１１Ｃに結合されるピン（ｐｉｎ）１１ｃによって具現された形態である。図１１［Ａ−３］に示したラインタイプマーカーのための回転体ｒｍは、ストッパー２０ｍ一体型回転体が示されている。すなわち、回転体ｒｍの外周の環形弾性突起の端部にフック型係止突起が形成されているので、組立時に回転体を強制に押し込めば、装着部の外周の係止段に係止突起がかかる。
【００４４】
次に、図１１［Ｂ−１］、図１１［Ｂ−２］及び図１１［Ｂ−３］に示したラインタイプマーカーは、図１１の［Ａ−１］及び図１１［Ａ−２］に比べ、ディスク型回転体ｒではなくドーナツタイプ回転体ｒＭが設けられる。これに合うように、テンションナットＳｔの外周に設けられた装着部にドーナツ（ｄｏｎｕｔ）型回転体ｒＭが装着され、やはり外周に形成された環状溝ではなくて中空内周面部位に形成された環状溝１３ｍと装着部の外周に形成された係止段ｍＳの間の空隙に弾性リング型ストッパー２０が配列されて組立体を構成する。また、図１１［Ｂ−１］及び図１１［Ｂ−３］においては、回転体ｒＭが相対的にテンションナットＳｔの上部に位置する形態であるが、図１１［Ｂ−２］は、回転体ｒＭが下側に配列されているので、テンションナットの操作時に回転体が勝手に回転しないようにする機能を強化することができる。
【００４５】
一方、図１２においては、クリック音発生部材Ｃ、ｃを組み込んで、ラインタイプマーカーを構成する回転体の意図せぬ回転を防止するとともに、ラインタイプマーキングのための回転体の回転によるセットの際、回転体の回転によってクリック音が発生するようにして、軽快さとともにセット注意力を高めるようにする機能を付け加えている。
【００４６】
図１２［Ａ−１］及び図１２［Ａ−２］は、互いにディスク型回転体ｒの軸突起１０Ｓの大きさ及び形状が一部相違する。すなわち、ストッパー２０の役目をする環形リーフスプリングの収容のための回転体の環状溝が、図１２［Ａ−１］では側面外周に形成されているが、図１２［Ａ−２］では回転体の下面軸突起１０Ｓの外周に形成されている。
【００４７】
また、図１２［Ａ−１］及び図１２［Ａ−２］のマーカーは、共通して、ストッパー２０の役目をする環形リーフスプリングにクリック音発生部材Ｃのための突起Ｃ１が形成され、図１２［Ａ−１］の下部の一点鎖線円内に示した「Ａ−Ａ」線平断面図から確認することができるように、テンションナットＳｔの装着部にはこの突起Ｃ１が結合される複数の溝Ｃ２が連続して形成されているので、回転体ｒの回転によってストッパー２０が一緒に回転するときに突起Ｃ１が溝Ｃ２にかかってクリック音が発生する。この構成は図１２の［Ａ−１］及び図１２［Ａ−２］に共通している。
【００４８】
これに対し、図１２［Ａ−３］においては、リーフスプリングを用いたストッパー２０タイプではなく、回転体の装着溝１３Ｍに結合されるコイルスプリングＣｓの弾支突起Ｃ１ｍがストッパー及びクリック音発生部材の突起の役目をするように構成されている。テンションナットの装着部外周に形成された連続溝Ｃ２の構造は、図１２［Ａ−１］及び図１２［Ａ−２］と同様である。
【００４９】
次に、図１２［Ｂ−１］においては、クリック音発生部材ｃが、下部一点鎖線円内斜視図にそれぞれ示したように、テンションナットＳｔに内蔵されたクラウンギアの連続溝ｃ２と、リーフスプリング型クリックリングｃｄの突起ｃ１とからなっている。クリックリングｃｄはスプリングワッシャと類似した機能をするように拗じれており、回転体ｒの組立時に加圧されて突起ｃ１が溝ｃ２に結合して接触し、回転体ｒとクリックリングｃｄの連動のために、回転体の締結部１５に結合される締結突起ｃｐが上向きに突設されている。
【００５０】
これに対し、図１２［Ｂ−２］及び図１２［Ｂ−３］においては、クリック音発生手段ｃのための突起ｃ１ｍが回転体ｒｍの下面に突設されており、この突起ｃ１ｍと結合される連続溝ｃ２ｍはテンションナットＳｔの装着部の底面にクラウンギア状に形成されており、この点で共通される。
【００５１】
また、図１２［Ｂ−２］及び図１２［Ｂ−３］においては、回転体ｒｍの離脱防止機能をするストッパーが、テンションナットＳｔの装着部に螺合されるキャップ２０ｃによって具現される。図１２［Ｂ−２］においては、キャップ２０ｃの外周に雄ネジ部が形成され、装着部にはこれに対応する雌ネジ部が形成され、図１２［Ｂ−３］においては、キャップ２０ｃに雌ネジ部が形成され、装着部の外周にはこれに対応する雌ネジ部が形成されている。
【００５２】
図１２［Ｂ−２］及び図１２［Ｂ−３］においては、組立時にテンションナットＳｔ装着部に回転体ｒｍを配置し、その上に弾性リング２０を位置させ、ついで目盛り部１０ｂを持つキャップ２０ｃを螺合すれば、弾性リング２０が押し付けられてクリック音発生手段ｃの突起ｃ１ｍ及び連続溝ｃ２ｍが接触し、回転体ｒｍの回転時にクリック音を発生させることができる。
【００５３】
次に、図２のように、ラインタイプマーカーＭが組み込まれる装着部は、ハンドルＨ、特にハンドルノブＨ１に設けることができる。この場合、装着部は、ハンドルノブＨ１をハンドルに固定する固定ボルトを覆うキャップに設けられ、やはり目盛り指示部１１Ａを持つ目盛り表示部１０Ａが組み込まれた回転体ｒが、固定用ストッパー２０である弾性リングを介して、目盛り部１１Ｂである対応目盛り表示部１０Ｂが設けられたキャップの環状溝形態の装着部に結合される（図６［Ｂ−３］と類似した構造を持つ）。
【００５４】
また、図３のように、ラインタイプマーカーＭは、スプールＳ、特にスタードラッグナットＳｓにも設けられ、目盛り指示部１１Ａを持つ目盛り表示部１０Ａが組み込まれたリング型回転体ｒが、固定用ストッパーである弾性リングを介して、目盛り部１１Ｂである対応目盛り表示部１０Ｂが設けられたスタードラッグナットの外周面装着部に結合された構造を持つ（図１１［Ｂ−３］と類似した構造を持つ）。
【００５５】
図４においては、ラインタイプマーカーＭが、フレームＦ、特にパームサイドカバーＦ１（ｐａｌｍ ｓｉｄｅ ｃｏｖｅｒ）の中央に設けられ、目盛り指示部１１Ａを持つ目盛り表示部１０Ａが組み込まれた回転体ｒが、やはり固定用ストッパーである弾性リングを介して、目盛り部１１Ｂである対応目盛り表示部１０Ｂが設けられ結合用軸ピンを持つディスクの環状溝形態の装着部に結合した構造を取っている（両目盛り表示部の結合構造は図６［Ｂ−３］と類似した構造を持つ）。
【００５６】
図５においては、ラインタイプマーカーＭがスプールＳ、特にスペア（ｓｐａｒｅ、予備）スプールに組み込まれたもので、目盛り指示部１１Ａを持つ目盛り表示部１０Ａが組み込まれたリング型の回転体ｒが、やはり固定用ストッパーである弾性リングを介して、目盛り部１１Ｂである対応目盛り表示部１０Ｂが設けられたスプールＳのフレーム結合用軸ピンの周囲の環状溝形装着部に結合した構造を取っている。
【００５７】
必要によっては、図５の右側ブロック内上部の多様な変形例のように、回転体ｒに目盛り指示部１１Ａを組み込んだ変形例（左から右に、回転体にそれぞれ「Ｃ」単一表示（合糸）、「Ｃ」−「Ｍ」（モノフィラメント）複合表示、「Ｃ」−「Ｍ」−「ＰＥ」（Ｐｏｌｙｅｔｈｙｌｅｎｅ Ｂｒａｉｄ）複合表示）が設けられ、または図５の右側ブロック内下部の多様な変形例のように、回転体ｒに目盛り部１１Ｂを組み込み、その周囲に目盛り指示部１１Ａを組み込んだ変形例（左から右に、回転体にそれぞれ「Ｃ」単一表示、「Ｃ」−「Ｍ」複合表示、「Ｃ」−「Ｍ」−「ＰＥ」複合表示）が設けられる。これらに共通して、目盛り指示部の標識は、ラインタイプマーキング時にいずれか一標識だけが一つの目盛り部数字を指示し、他の標識は目盛り部の数字からずれるように配列されている。
【００５８】
図７〜図１０のスピニングリールＲｍの場合：図７のラインタイプマーカーＭは、ハンドル特にハンドルＨｍをフレームに固定するボルトを覆うハンドルナットキャップＨｃに組み込まれている。目盛り指示部１１Ａを持つ目盛り表示部１０Ａが組み込まれたディスク型の回転体ｒを、やはり固定用ストッパーである弾性リングを介して、目盛り部１１Ｂである対応目盛り表示部１０Ｂが設けられたハンドルナットキャップＨｃの環状溝形装着部に結合した構造を取っている（両目盛り表示部の結合構造は図６［Ｂ−３］と類似した構造を持つ）。
【００５９】
図８［Ａ］においては、図７［Ｂ］のラインタイプマーカーＭのようにハンドルＨｍのハンドルナットキャップＨｃに組み込まれているが、ハンドルナットキャップＨｃそのものが固定ボルトないし軸ピンを持つ点では異なっている。
【００６０】
図８［Ｂ］のラインタイプマーカーＭは、ハンドル特にハンドルノブＨ１ｍに設けられ、目盛り指示部１１Ａを持つ目盛り表示部１０Ａが組み込まれた回転体ｒを、やはり固定用ストッパー２０である弾性リングを介して、目盛り部１１Ｂである対応目盛り表示部１０Ｂが設けられハンドルノブ固定ボルトを覆うキャップの環状溝形装着部に結合した構造を取っている（両目盛り表示部の結合構造は図６［Ｂ−３］と類似した構造を持つ）。
【００６１】
図９［Ａ］のラインタイプマーカーＭは、ハンドルＨｍ特にハンドルアーム装飾カバーＨａに組み込まれる。具体的に、目盛り指示部１１Ａを持つ目盛り表示部１０Ａが組み込まれたリング型の回転体ｒを、やはり固定用ストッパーである弾性リングを介して、目盛り部１１Ｂである対応目盛り表示部１０Ｂが設けられた装飾カバーＨａの外周面装着部に結合した構造を取っている（両目盛り表示部の結合構造は図１１［Ｂ−３］と類似した構造を持つ）。
【００６２】
一方、図９［Ｂ］のラインタイプマーカーＭは、ハンドルＨｍ特にハンドルアーム固定ボルト（または固定ナット）を覆うカバーＨＡに組み込まれる。具体的に、目盛り指示部１１Ａを持つ目盛り表示部１０Ａが組み込まれたディスク型の回転体ｒを、やはり固定用ストッパー２０である弾性リングを介して、目盛り部１１Ｂである対応目盛り表示部１０Ｂが設けられたカバーＨＡの環状溝形装着部に結合した構造を取っている（両目盛り表示部の結合構造は図６［Ｂ−３］と類似した構造を持つ）。
【００６３】
次に、図１０［Ａ］においては、スプール（Ｓｍ）にラインタイプマーカーＭが組み込まれている。目盛り指示部１１Ａを持つ目盛り表示部１０Ａが組み込まれたリング型の回転体ｒを、やはり固定用ストッパー２０である弾性リングを介して、目盛り部１１Ｂである対応目盛り表示部１０Ｂが設けられたスプール、特にスプールスカート（ｓｐｏｏｌ ｓｋｉｒｔ）の外周面装着部に結合した構造を取っている。図１０［Ａ］において、下部右側の両ラインタイプマーカーＭは、リング型の回転体ｒの形状に関連し、その露出外周傾斜区間の長さ（上側のものが長くて傾斜が急であり、下側のものが短くて傾斜が緩やかである）が異なる。
【００６４】
回転体ｒに目盛り指示部１１Ａを組み込んだ変形例（回転体にそれぞれ「Ｃ」単一表示（合糸）、「Ｃ」−「Ｍ」（モノフィラメント）複合表示、「Ｃ」−「Ｍ」−「ＰＥ」（Ｐｏｌｙｅｔｈｙｌｅｎｅ Ｂｒａｉｄ）複合表示）を挙げることができる。図５の右側下部ブロック内に示した変形例のように、図１０［Ａ］の左側の２つのブロック内の上部では、回転体ｒに目盛り指示部１１Ａが組み込まれており（「Ｃ」−「Ｍ」−「ＰＥ」複合表示）、中間では、回転体ｒに目盛り部１１Ｂが組み込まれており（「Ｃ」−「Ｍ」−「ＰＥ」複合表示）、下部では、回転体ｒに目盛り部１１Ｂが組み込まれており、回転体ｒが先の二つの実施例とは異なり、スプールスカート（ｓｐｏｏｌ ｓｋｉｒｔ）に深く挿入されて目盛り部１１Ｂの数字が遮られ、回転体の回転によって目盛り指示部１１Ａ（「Ｃ」−「Ｍ」−「ＰＥ」複合表示）ごとに位置する表示窓１１ｗ（円形孔）に目盛り部１１Ｂの数字１１ｎが見えるように構成されている。
【００６５】
次に、図１０［Ｂ］のラインタイプマーカーＭは、フレームＦｍ特にベイルワイヤ（ｂａｉｌ ｗｉｒｅ）固定ボルト（または固定ピン）に組み込まれる。目盛り指示部１１Ａを持つ目盛り表示部１０Ａが組み込まれたディスク型の回転体ｒを、やはり固定用ストッパー２０である弾性リングを介して、目盛り部１１Ｂである対応目盛り表示部１０Ｂが設けられた固定ボルトヘッドの環状溝形装着部に結合した構造を取っている（両目盛り表示部の結合構造は図６［Ｂ−３］と類似した構造を持つ）。
【００６６】
一方、図７〜図１０のスピニングリールＲｍ用のラインタイプマーカーＭにおいて、環状溝形装着部に導入される回転体ｒの場合は、相対的に深く挿入された構造を取り、外部で身体や物体が回転体と接触しないようにする構造を取っている。
【００６７】
以上説明した本発明によるラインタイプマーカーＭは、総合的に図１３〜図１６から確認することができる。
【００６８】
まず、図１３の上部ブロック内には、ラインタイプマーカーＭの回転体に対する目盛り指示部などに関連して、回転体に「Ｃ」単一表示［ｍ１］、回転体に「Ｃ」−「Ｍ」複合表示［ｍ２］（１８０度の間隔で配列された回転体の矢印標識（「Ｃ」−「Ｍ」））、回転体に「Ｃ」−「Ｍ」複合表示［ｍ３］（１７０度程度の間隔で配列された回転体の矢印標識（「Ｃ」−「Ｍ」））、回転体に「Ｃ」−「Ｍ」−「ＰＥ」複合表示［ｍ４］（「Ｍ」と一緒に括弧で「ＰＥ」標識、目盛り部の数字も「ＰＥ」に係わるラインタイプは括弧中に表示する）、回転体に「Ｃ」−「Ｍ」−「ＰＥ」複合表示［ｍ５］の形態の実施例が示されている。
【００６９】
また、図１３の［ａ〜ｆ］には、多様なキャップ型装着部ｆ（共通して環状溝形装着部）と回転体ｒが示されている。［ａ］はキャップそのものが回転するモデル（またはラインタイプマーカーを備えていないモデル）、［ｂ］はストッパーとして固定リング２０を用いて回転体を固定するモデル（図６［Ｂ−３］と類似）、［ｃ］はストッパーとして回転体ｒの外周の環形弾性突起端部のフック型係止突起を用いたモデル（図１１の［Ａ−３］と類似）、［ｄ］はストッパーとして固定リング２０を用い、回転体ｒそのものに軸突起が形成されたモデル（図１１の［Ａ−１］と類似）、［ｅ］はストッパーとして回転体の装着溝に結合されるコイルスプリング及び弾支突起を用いクリック音発生が可能なモデル（図１２の［Ａ−３］と類似）、［ｆ］は図１２［Ａ−２］に係わるモデルである。
【００７０】
次に、図１４の［ａ〜ｅ］には多様なキャップ型装着部ｆ（共通してキャップの外周面に装着部が設けられた形態）とリング型回転体ｒ１が示されている、これらは共通して固定リング２０Ｓによる固定構造を持つ。
【００７１】
さらに、図１４［ｃ］には、別の第２ラインタイプマーカーを構成するように、第１ラインタイプマーカーのキャップ型装着部ｆの環状溝形装着溝に、第２固定リング２０ｓを介して組み立てられるディスク型の第２回転体ｒ２によって、第１回転体と第２回転体が互いに異なるラインタイプマーキングができるように構成されている。
【００７２】
これに対し、図１４［ｅ］は、やはり第２ラインタイプマーカーを構成するが、第１ラインタイプマーカーのキャップ型装着部ｆの外周面装着部に、第２固定リング２０ｓを介して組み立てられるリング型の第２回転体ｒ２によって、第１回転体と第２回転体が互いに異なるラインタイプマーキングができるように構成されている点で図１４［ｃ］とは異なる。
【００７３】
また、図１５［ａ〜ｆ］の各実施例は、それぞれ、図１３［ａ〜ｆ］の各モデルに対応するが、ただキャップ型装着部のキャップが軸ピンないし固定ボルトを持つ点で、図１３［ａ〜ｆ］の各モデルとは異なる。
【００７４】
最後に、図１６［ａ〜ｅ］の各実施例は、図１４［ａ〜ｅ］の各モデルに対応するが、やはりキャップ型装着部のキャップが軸ピンないし固定ボルトを持つ点で、図１４［ａ〜ｅ］の各モデルとは異なる。
【００７５】
以上の説明で、ベイトリール、スピニングリールなどの釣り用リール、及びフレーム、スプール、ハンドルなどの具体的な構造及び機能などに関連した通常の公知技術は省略したが、当業者であれば容易にこれを推測及び推論して再現することができる。また、以上のような本発明の説明において、添付図面に基づいて特定の形状及び構造を持つテンションナット及びこれに設けられたラインタイプマーカーを主に説明したが、本発明は当業者によって多様な修正、変形及び置換が可能であり、このような修正、変形及び置換は本発明の保護範囲に属するものに解釈されなければならない。
【符号の説明】
【００７６】
Ｒ              釣り用リール
Ｆ              フレーム
Ｓ              スプール
Ｈ              ハンドル
Ｓｓ            スタードラッグナット
Ｓｔ            テンションナット
ｍ              装着部
Ｍ              ラインタイプマーカー
Ｃ、ｃ          クリック音発生部材
ｒ              回転体
１０Ａ、１０Ｂ  目盛り表示部
２０、２０ｍ、２０Ｍ    ストッパー
【図１】
0006266585.tif 000002
【図２】
0006266585.tif 000003
【図３】
0006266585.tif 000004
【図４】
0006266585.tif 000005
【図５】
0006266585.tif 000006
【図６】
0006266585.tif 000007
【図７】
0006266585.tif 000008
【図８】
0006266585.tif 000009
【図９】
0006266585.tif 000010
【図１０】
0006266585.tif 000011
【図１１】
0006266585.tif 000012
【図１２】
0006266585.tif 000013
【図１３】
0006266585.tif 000014
【図１４】
0006266585.tif 000015
【図１５】
0006266585.tif 000016
【図１６】
0006266585.tif 000017